(57)【特許請求の範囲】
【請求項１】
テレビ信号を受信して映像及び音声を出力するテレビ機能と、テレビ信号を受信して記録する録画機能と、を備えた映像音声視聴装置であって、
メールを受信する受信手段と、
受信したメールが参照された場合に、参照されたメールを開封メールに設定する設定手段と、
受信したメールにテレビ情報が含まれている場合に、前記テレビ情報を抽出する情報抽出手段と、
抽出されたテレビ情報に基づいて電子番組表を用いることにより番組の放映開始時刻を特定する特定手段と、
テレビ情報を含むメールが開封メールに設定されていない場合において、開封メールに設定されていないメールに含まれるテレビ情報に基づいて特定される番組の放映開始時刻が到来したときは、テレビ情報により特定される番組の録画をする録画手段と、
を備えたことを特徴とする映像音声視聴装置。
【請求項２】
前記録画手段は、放映開始時刻よりも前にテレビ情報を含むメールが開封メールに設定された場合に、テレビ情報により特定される番組の録画をするか否かをユーザに選択させること、
を特徴とする請求項１に記載の映像音声視聴装置。
【請求項３】
バッテリーと、
前記バッテリーの残量を検出する残量検出手段と、を更に備え、
前記録画手段は、前記テレビ情報により特定される番組を録画する場合に、前記バッテリーの残量に基づいて前記番組の録画をするか否かを判断すること、
を特徴とする請求項１又は請求項２に記載の映像音声視聴装置。
【請求項４】
自機に録画できる録画残量を検出する残量検出手段と、を更に備え、
前記録画手段は、前記テレビ情報により特定される番組を録画する場合に、前記録画残量に基づいて前記番組の録画をするか否かを判断すること、
を特徴とする請求項１又は請求項２に記載の映像音声視聴装置。
【請求項５】
バッテリーと、テレビ信号を受信して映像及び音声を出力するテレビ機能と、テレビ信号を受信して記録する録画機能と、を備えた映像音声視聴装置であって、
前記バッテリーの残量を検出する残量検出手段と、
メールを受信する受信手段と、
受信したメールにテレビ情報が含まれている場合に、前記テレビ情報を抽出する情報抽出手段と、
抽出されたテレビ情報により電子番組表を用いて番組および当該番組の放送開始時刻を特定する番組特定手段と、
前記番組の放映開始時刻が到来した場合に、前記番組の録画をする録画手段と、を備え、
前記録画手段は、前記テレビ情報により特定される番組を録画する場合に、前記バッテリーの残量に基づいて前記番組の録画をするか否かを判断すること、
を特徴とする映像音声視聴装置。
【請求項６】
テレビ信号を受信して映像及び音声を出力するテレビ機能と、テレビ信号を受信して記録する録画機能と、を備えた映像音声視聴装置であって、
自機に録画できる録画残量を検出する残量検出手段と、
メールを受信する受信手段と、
受信したメールにテレビ情報が含まれている場合に、前記テレビ情報を抽出する情報抽出手段と、
抽出されたテレビ情報により電子番組表を用いて番組および当該番組の放送開始時刻を特定する番組特定手段と、
前記番組の放映開始時刻が到来した場合に、前記番組の録画をする録画手段と、を備え、
前記録画手段は、前記テレビ情報により特定される番組を録画する場合に、前記録画残量に基づいて前記番組の録画をするか否かを判断すること、
を特徴とする映像音声視聴装置。
【発明の詳細な説明】
【技術分野】
【０００１】
本発明は、テレビ信号を受信して映像及び音声を出力するテレビ機能と、テレビ信号を受信して記録する録画機能と、メールを送受信するとともに参照されたメールを開封メールに設定するメール端末機能とを備えた映像音声視聴装置に関する。
【背景技術】
【０００２】
テレビ信号を受信して映像及び音声出力するテレビ機能は周知である。また、テレビ信号を受信して記録し、該記録したテレビ信号を読み出して映像及び音声出力する、録画／再生機能も周知である。また、メール送受信機能を備えた移動電話機も周知である。
【０００３】
近年、テレビ機能を備えた移動電話機が提供され始めている。
【０００４】
放送局側の装置から視聴者側のディジタル放送受信装置へ当該視聴者の嗜好に適合する番組についてのメールを送信し、これに応じて視聴者側のディジタル放送受信装置が当該メールを適時に表示するシステムが提案されている（特許文献１，参照）。
【０００５】
視聴者の希望番組の放送開始を当該視聴者へメール送信し、又は、当該視聴者の映像記録装置へ録画命令を送信するシステムが提案されている（特許文献２，参照）。
【特許文献１】特開平１０−２７６１６１号公報。
【特許文献２】特開２００１−１１９６８１号公報。
【発明の概要】
【発明が解決しようとする課題】
【０００６】
番組を紹介するメールや番組の視聴を推奨するメールを放送局やサービス会社が提供するサービスが想定される。また、知人や友人から番組を紹介もしくは推奨するメールが個人的に送られてくることも想定される。
【０００７】
しかし、そのようなメールが受信されていたとしても、放映開始時刻までに当該メールの内容を受信者が確認しなかった場合には、その番組を視聴することはできず、メールの情報が無駄になってしまう。
【０００８】
本発明は、番組を紹介もしくは推奨するメールが受信されていた場合に於いて、そのメールの内容を当該番組の放映開始時刻までに受信者が確認しなかった場合でも、当該番組を視聴できるようにすることを目的とする。
【課題を解決するための手段】
【０００９】
本発明の目的は、下記［１］〜［８］の構成により達成される。
［１］構成１：
テレビ信号を受信して映像及び音声出力するテレビ機能と、テレビ信号を受信して記録する録画機能と、メールを送受信するとともに参照されたメールを開封メールに設定するメール端末機能と、を備えた映像音声視聴装置であって、
受信したメールからテレビ情報を抽出する情報抽出手段と、
前記抽出したテレビ情報が指示する番組情報を当該抽出元のメールに対応付けて録画予約する録画予約手段と、
録画予約された番組情報に抽出元のメールが対応付けられているおり且つ当該メールが
当該番組の放映開始時までに開封メールに設定されていない場合には当該番組を記録する録画制御手段と、
を有することを特徴とする映像音声視聴装置。
【００１０】
テレビ機能は、アナログ放送を受信して映像及び音声出力する機能でもよく、デジタル放送を受信して映像及び音声出力する機能でもよい。以下、同様とする。
【００１１】
録画の記録媒体としては、公知の記録媒体の何れでもよい。以下、同様とする。
【００１２】
メール端末機能を備えた装置としては、移動電話機、ＰＤＡ、パソコン等を挙げることができる。つまり、本発明の映像音声視聴装置は、これらの装置に搭載される機能として実現されてもよい。
［２］構成２：
構成１に於いて、
メールアドレスに録画の可否情報を対応付けてメールアドレス毎に保持している録画条件記憶手段を更に有し、
前記録画制御手段は、録画予約された番組情報に抽出元のメールが対応付けられており且つ当該メールが当該番組の放映開始時までに開封メールに設定されていない場合には当該メールのメールアドレスに録画否の可否情報が対応付けられていないことを条件として当該番組を記録する、
ことを特徴とする映像音声視聴装置。
【００１３】
この構成は、或るメールアドレスから通知されたテレビ番組は録画しないようにする構成である。当然ながら、この構成２に於いて、或るメールアドレスから通知されたテレビ番組のみを録画するように構成することも可能である。例えば、録画条件記憶手段に於いて、或る特定の１又は２以上のメールアドレスにのみ「録画可」を対応付けて記憶し、それ以外の特定の１又は２以上のメールアドレスについては「録画否」を対応付けて記憶するとともに、メールアドレス一般（不特定のメールアドレス）については参照の都度「録画否」を対応付けるようにすればよい。
［３］構成３：
構成１に於いて、
番組の特性を表す特性情報に録画の可否情報を対応付けて特性情報毎に保持している録画条件記憶手段を更に有し、
前記録画制御手段は、録画予約された番組情報に抽出元のメールが対応付けられており且つ当該メールが当該番組の放映開始時までに開封メールに設定されていない場合には当該番組の特性情報に録画否の可否情報が対応付けられていないことを条件として当該番組を記録する、
ことを特徴とする映像音声視聴装置。
【００１４】
特性情報としては、例えば、番組のタイトル、番組のジャンル、番組の出演者、番組の作成者、等を挙げることができる。また、複数の特性情報の論理和や論理積を採用しても良い。特性情報は、メールが持つテレビ情報に含まれていてもよく、メールが持つテレビ情報が指示する番組情報に含まれていてもよい。また、地上波ディジタル放送の場合であれば、メールが持つテレビ情報が指示する番組情報に基づいて、ＥＰＧ（Electric Program Guide：電子番組表）を参照して取得するようにしてもよい。
【００１５】
この構成は、或る特定の特性情報を持つテレビ番組は録画しないようにする構成であるが、構成２の場合と略同様に、構成３に於いても、或る特定の特性情報を有するテレビ番組のみを録画するように構成することも当然に可能である。例えば、録画条件記憶手段に於いて、或る特定の１又は２以上の特性情報にのみ「録画可」を対応付けて記憶し、それ
以外の特定の１又は２以上の特性情報については「録画否」を対応付けて記憶するとともに、特性情報一般（不特定の特性情報）については参照の都度「録画否」を対応付けるようにすればよい。
［４］構成４：
請求項１に於いて、
当該映像音声視聴装置に搭載されている機器の機器状態にその許容値を対応付けて機器状態毎に保持している録画条件記憶手段と、
テレビ放映開始直前の前記各機器の機器状態を検出する状態検出手段と、
を更に有し、
前記録画制御手段は、録画予約された番組情報に抽出元のメールが対応付けられており且つ当該メールが当該番組の放映開始時までに開封メールに設定されていない場合には各機器の機器状態の検出値がそれぞれの許容範囲から外れていないことを条件として当該番組を記録する、
ことを特徴とする映像音声視聴装置。
【００１６】
搭載されている機器の機器状態としては、ハードディスクやメモリ等の公知の記録媒体の記憶可能容量（録画残量）を挙げることができる。また、移動電話機、ＰＤＡ、ノートパソコン等の携帯型の装置であれば、バッテリーの残量を挙げることができる。
【００１７】
許容範囲は記憶容量やバッテリー容量等の機器状態毎に一律の固定値でもよいが、録画しようとする番組の時間に応じた値としてもよい。例えば、録画対象の番組が３０分の番組であれば録画残量やバッテリー残量の許容値をそれぞれ３０分相当以上の値とし、２時間の番組であればそれぞれ２時間相当以上の値とするようにしてもよい。
［５］構成５：
構成４に於いて、
前記録画条件記憶手段は、前記機器状態の許容値を番組の時間長さ毎に持ち、
前記録画制御手段は、録画予約された番組情報に抽出元のメールが対応付けられており且つ当該メールが当該番組の放映開始時までに開封メールに設定されていない場合には各機器の機器状態の検出値が当該番組の時間長さに対応するそれぞれの許容値から外れていないことを条件として当該番組を記録する、
ことを特徴とする映像音声視聴装置。
［６］構成６：
構成４又は５に於いて、
前記機器状態は録画残量である、
ことを特徴とする映像音声視聴装置。
［７］構成７：
４又は請求項５に於いて、
前記状態情報はバッテリー残量である、
ことを特徴とする映像音声視聴装置。
［８］構成８：
構成１〜７の何れかに於いて、
前記メール端末機能によりメールが参照された時に当該メールのテレビ情報が指示する番組情報を表示して録画予約の承認／否認／視聴代替の何れか一つの選択入力をユーザに促す選択入力手段を更に有し、
前記録画予約手段は、録画予約の承認／否認／視聴代替の中から選択された結果を当該メールが対応付けられている録画予約に対応付けて記憶し、
前記録画制御手段は、録画予約された番組情報に抽出元のメールが対応付けられており且つ当該メールが当該番組の放映開始時に開封メールに設定されている場合には当該録画予約が承認されていることを条件として当該番組を記録し、
前記テレビ機能は、録画予約された番組情報に抽出元のメールが対応付けられており且
つ当該メールが当該番組の放映開始時に開封メールに設定されており且つ当該録画予約が視聴代替されている場合には当該番組を再生する、
ことを特徴とする映像音声視聴装置。
【００１８】
構成１〜７はメールが開封されないままで番組放映時間が到来してしまった場合を扱っているが、構成８は番組放映時間の到来以前にメールが開封された場合の処理である。即ち、構成８では、メールが開封されると、当該メールが持つテレビ情報が指す番組を、録画するか、録画しないか、録画しないで視聴するか、をユーザに選択させ、放映時間になると、選択結果に応じて処理を行う。
【発明の効果】
【００１９】
構成１では、受信したメールからテレビ情報を抽出する手段と、抽出したテレビ情報が指示する番組情報を当該抽出元のメールに対応付けて録画予約する手段と、録画予約された番組情報に抽出元のメールが対応付けられており且つ当該メールが当該番組の放映開始時までに開封メールに設定されていない場合には当該番組を記録する手段と、を有するため、番組を紹介もしくは推奨するメールが受信されていた場合に於いて、そのメールの内容を当該番組の放映開始時刻までに受信者が確認しなかった場合でも、当該番組を録画でき、確実に視聴できる。
【００２０】
構成２では、構成１に於いて、メールアドレスに録画の可否情報を対応付けてメールアドレス毎に保持している手段を更に有し、録画予約された番組情報に抽出元のメールが対応付けられており且つ当該メールが当該番組の放映開始時までに開封メールに設定されていない場合には当該メールのメールアドレスに録画否の可否情報が対応付けられていないことを条件として前記録画制御手段が当該番組を記録するため、構成１が持つ効果に加えて、さらに、或るメールアドレスから通知されたテレビ番組は録画しないようにしたり、或る特定のメールアドレスから通知されたテレビ番組のみを録画するようにできる効果がある。
【００２１】
構成３では、構成１に於いて、番組の特性を表す特性情報に録画の可否情報を対応付けて特性情報毎に保持している手段を更に有し、録画予約された番組情報に抽出元のメールが対応付けられており且つ当該メールが当該番組の放映開始時までに開封メールに設定されていない場合には当該番組の特性情報に録画否の可否情報が対応付けられていないことを条件として前記録画制御手段が当該番組を記録するため、構成１が持つ効果に加えて、さらに、或る特性情報を持つテレビ番組は録画しないようにしたり、或る特定の特性情報を持つテレビ番組のみを録画するようにできる効果がある。
【００２２】
構成４では、構成１に於いて、当該映像音声視聴装置に搭載されている機器の機器状態にその許容値を対応付けて機器状態毎に保持している手段と、テレビ放映開始直前の前記各機器の機器状態を検出する手段と、を更に有し、録画予約された番組情報に抽出元のメールが対応付けられており且つ当該メールが当該番組の放映開始時までに開封メールに設定されていない場合には各機器の機器状態の検出値がそれぞれの許容範囲から外れていないことを条件として前記録画制御手段が当該番組を記録するため、構成１が持つ効果に加えて、さらに、機器状態が録画に適しない場合には録画を回避できる効果がある。
【００２３】
構成８は、構成１〜７の何れかに於いて、前記メール端末機能によりメールが参照された時に当該メールのテレビ情報が指示する番組情報を表示して録画予約の承認／否認／視聴代替の何れか一つの選択入力をユーザに促す手段を更に有し、前記録画予約手段が録画予約の承認／否認／視聴代替の中から選択された結果を当該メールが対応付けられている録画予約に対応付けて記憶し、録画予約された番組情報に抽出元のメールが対応付けられており且つ当該メールが当該番組の放映開始時に開封メールに設定されており且つ当該録
画予約が承認されている場合には前記録画制御手段が当該番組を記録し、録画予約された番組情報に抽出元のメールが対応付けられており且つ当該メールが当該番組の放映開始時に開封メールに設定されており且つ当該録画予約が視聴代替されている場合には前記テレビ機能が当該番組を再生するため、構成１〜７の何れかが持つ効果に加えて、さらに、当該番組の放映開始以前にメールが開封された場合、該開封時に、ユーザに所望の処理を選択させ得る効果がある。
【図面の簡単な説明】
【００２４】
【図１】デジタル放送を受信して映像や音声を再生するテレビ機能と、受信した映像や音声を記録・再生する録画・再生機能と、メールを送受信するメール端末機能と、を備えた携帯電話機（移動電話機）として、本発明の映像音声視聴を具体化した装置を例示するブロック図。
【図２】メール受信時の処理を示すフローチャート（ａ）と、メール参照時の処理を示すフローチャート（ｂ）。
【図３】録画／視聴制御手順を示すフローチャートの一部。
【図４】録画／視聴制御手順を示すフローチャートの残部。
【図５】制御装置１０内の記憶装置が持つファイルの構成説明図であり、（ａ）はメール保管ファイル（ａ）、（ｂ）は予約情報ファイルを示す。
【図６】制御装置１０内の記憶装置が持つ録画条件ファイルの構成説明図（ａ）と、テレビ情報を持つメールの内容を例示する説明図（ｂ）。
【発明を実施するための形態】
【００２５】
以下、図面を参照して本発明を具体的に説明する。
【００２６】
図１は、デジタル放送を受信して映像や音声を再生するテレビ機能と、受信した映像や音声を記録・再生する録画・再生機能と、メールを送受信するメール端末機能と、を備えた携帯電話機（移動電話機）として、本発明の映像音声視聴を具体化した装置を例示するブロック図である。
携帯電話機・メール端末機：
携帯電話機・メール端末機の構成要素は、アンテナ５９、電話・メール用送受信回路２１、チャネルコーデック２２、音声コーデック２３、マイク５１、スピーカ５２、入力装置５４、表示装置５５、及び制御装置１０である。
【００２７】
アンテナ５９で受信された電話電波は、電話用送受信回路２１にて復調され、チャネルコーデック２２にて分解されて必要なチャネルの音声信号が取り出され、音声コーデック２３にてアナログ信号に変換され、スピーカ５２から音声として出力される。
【００２８】
また、メールが受信された場合には、制御装置１０が、そのメールをメール保管ファイルに格納するとともに、テレビ情報の有無に応じて後述の処理を実行する。
【００２９】
一方、マイク５１から入力された音声は、音声コーデック２３にてデジタル化され、制御装置１０からの制御信号とともにチャネルコーデック２２にてＴＤＭＡ（又はＣＤＭＡでもよい）信号へ変換され、電話用送受信回路２１にて変調されて、アンテナ５９から送出される。
【００３０】
着信が検出されると、制御装置１０は報知音をスピーカ５２から出力する。なお、不図示のバイブレータを振動させるようにしてもよい（マナーモードの場合）。
【００３１】
また、メールサーバから新着メールが有る旨が通知されると、制御装置１０は、そのメールをメールサーバから受信するための処理を実行する。
【００３２】
入力装置５４は、呼出相手先の電話番号の入力、モードの設定若しくは切り換え（電話モード／テレビ視聴モード／ビデオ視聴モード，の切り換え等）、メールの入力等、携帯電話機、メール端末機、或いは、テレビ／ビデオ視聴装置に於いて必要とされる種々の入力に用いられる。
【００３３】
表示装置５５は、着信／呼出相手先の電話番号の表示や、モードの表示、メールの表示等、携帯電話機として必要な種々の表示に用いられる。
【００３４】
また、表示装置５５は、テレビ／ビデオ映像の表示に用いられる。
テレビ視聴装置：
テレビ視聴装置の構成要素は、アンテナ５９、テレビ用受信回路３１、デスクランブラ３２、デマルチプレクサ３３、デコーダ（例：ＭＰＥＧデコーダ）３４、音声処理回路３５、スピーカ５２、映像処理回路３６、表示装置５５、入力装置５４、及び制御装置１０
である。
【００３５】
アンテナで受信されたテレビ電波は、テレビ用受信回路３１にて選局・復調・誤り訂正され、デスクランブラ３２にてスクランブルを解除されてトランスポートストリーム（ＴＳ）が取り出される。このトランスポートストリーム（ＴＳ）からデマルチプレクサ３３にて必要な番組のパケットが取り出され、更にサービスインフォメーション（ＳＩ）が取得され、クロックが再生される。取り出されたパケットは、デコーダ３４にて音声データと映像データに復号され、それぞれ、音声処理回路３５によりアナログの音声信号に変換されてスピーカ５２から音声として出力され、映像処理回路３６により表示装置５５に適合する走査フォーマットのアナログのビデオ信号に変換されて表示装置５５から映像として出力される。
録画装置：
録画装置５７は、録画時には、トランスポートストリームからデマルチプレクサ３３により取り出した所望の番組のパケットを、内蔵の記録装置（例：ハードディスク、メモリ等，不図示）に記録する。
【００３６】
また、録画装置５７は、再生時には、記録したパケットを順に取り出してデコーダ３４へ送って復号し、映像及び音声として出力する。
【００３７】
なお、圧縮状態のパケットではなく、デコーダ３４にて復号した後のデータを記録するように構成してもよい。復号後のデータを録画した場合には、再生時には、デコードすることなく、音声処理回路３５や映像処理回路３６へ出力することとなる。
メール受信時の処理：
受信したメールに基づいて予約情報を格納する処理を説明する。
【００３８】
図２（ａ）は、新規メールが受信された時に実行される処理を示す。
【００３９】
新規メールが有る旨がメールサーバから通知されると（Ｓ０１でＹＥＳ）、制御装置１０はメール受信処理を起動する（Ｓ０３）。
【００４０】
また、受信したメールは、メール保管ファイル（図５（ａ）参照）に新規レコードを作成して格納する（Ｓ０３）。メール保管ファイルの項目としては、メールを一意に識別するメールＩＤ、送信元メールアドレス、タイトル、本文等を挙げることができる。
【００４１】
次に、当該メールにテレビ情報が含まれているか否かを調べ、含まれている場合には抽出する（Ｓ０５）。図６（ｂ）に、テレビ情報が含まれているメールの一例を示す。図示のように、テレビ情報としては、例えば、番組名、放送局、ＥＰＧ（電子番組ガイド：Electric Program Guide）で放送局を識別する「service_id 」、番組を識別する「event_id」、コメント等を挙げることができる。これらをメールの本文中から抽出する。
【００４２】
なお、「コメント」は番組の特定には不要であるが、ユーザがメールを開封して録画／視聴／不要を判断する際の参照用に使用される。
【００４３】
テレビ情報が抽出されると（Ｓ０７でＹＥＳ）、該抽出されたテレビ情報に基づいてＥＰＧから番組情報を取得し（Ｓ０９）、予約情報ファイル（図５（ｂ）参照）に新規レコードを作成して、当該抽出元メールのメールＩＤに対応付けて格納する（Ｓ１１）。番組情報としては、放映開始直前に録画機能又はテレビ再生機能を自動的に起動する（録画／視聴制御手順，図３〜４，参照）ために必要な情報を、少なくとも含む。なお、デジタル放送を受信する装置では、随時にＥＰＧを更新しており、これに基づいて正確な番組情報を得ることができる。
【００４４】
予約情報ファイルの項目としては、放送開始時刻、放送時間、「service_id 」、「event_id」、番組名、ジャンル、出演者、等を挙げることができる。ここで、番組名、ジャ
ンル、出演者等の情報は、放映開始直前に録画機能又はテレビ再生機能を自動的に起動するためには必要ないが、ユーザがメールを開封して録画／視聴／不要を判断する際の参照用に使用される。
メール開封時の処理：
メール保管ファイル（図５（ａ））が参照された時に、該メールに対応する予約情報の状態を、ユーザ入力に応じて決める処理を、図２（ｂ）に即して説明する。
【００４５】
メール保管ファイルのメールが開かれると（Ｓ２１でＹＥＳ）、メール保管ファイルの当該メールの状態項目（不図示）の値を「開封」に設定する（Ｓ２３）。
【００４６】
次に、対応する予約情報を抽出する（Ｓ２５）。即ち、参照されたメールのメールＩＤを持つレコードを、予約情報ファイル（図５（ｂ））から検索する。
【００４７】
参照メールのメールＩＤを持つレコードが抽出されると（Ｓ２７でＹＥＳ）、その番組情報（番組名、ジャンル，出演者，コメント等）を表示装置５５に表示して、録画又は視聴を選択するようにユーザに促し、所定時間待機する（Ｓ２９）。
【００４８】
所定時間内に録画又は視聴が選択されない場合は（Ｓ３１でＮＯ）、予約情報ファイルの当該レコードを削除して（Ｓ３３）、本処理を終了する。
【００４９】
所定時間内に録画又は視聴がユーザ入力で選択された場合は（Ｓ３１でＹＥＳ）、当該レコードの状態項目の値を、当該選択に応じて（Ｓ３５でＹＥＳ又はＮＯ）、「録画」又は「視聴」に設定する（Ｓ３７又はＳ３９）。
【００５０】
なお、予約情報の状態項目の初期値は「未開封」であるため、メールが参照されない限り、当該メールに対応する予約情報の状態項目の値は「未開封」のままである。
録画／視聴を自動起動するための処理：
予約情報ファイルに格納されている何れかのレコードの予約情報が持つ放映開始時刻になると、その状態項目の値「録画／視聴／未開封」に応じて、録画機能又はテレビ機能を起動し、又は、当該レコードを削除する処理を、図３〜４を参照して説明する。
【００５１】
１分以内の放映開始時刻に録画又は視聴を起動するまでの待機状態であることを示す放映待機中フラグの初期値は「０」である（Ｓ５１でＮＯ）。このため、ステップＳ５２に進み、開始タイマーＴをクリアする。開始タイマーＴは、録画設定／視聴設定が行われた場合に（下記のＳ５８，Ｓ６０，参照）、その動作を起動するまでの時間を管理するタイマーである。
【００５２】
次に、ステップＳ５３に進み、予約チェックタイミングが到来したかか否かチェックする。例えば、前回のチェックからチェック間隔を規定する所定時間が経過したか否かをチェックする。なお、所定時間の経過は、タイマー（不図示）で計測できる。また、所定時間としては、例えば、１分程度の時間を例示できる。
【００５３】
予約チェックタイミングが到来していた場合は（Ｓ５３でＹＥＳ）、不図示の時計ＩＣから現在時刻を取得する（Ｓ５４）。次に、現在時刻から１分以内に放映開始時刻が到来する予約情報を、予約情報ファイル（図５（ｂ））から検索する（Ｓ５５）。
【００５４】
現在時刻から１分以内に到来する放映開始時刻を持つレコードが予約情報ファイルから
検索された場合は（Ｓ５６でＹＥＳ）、当該レコードの状態項目の値を取得して、その状態が、「録画／視聴／未開封」の何れであるかを調べる。
【００５５】
その結果、「録画予約」である場合は（Ｓ５７でＹＥＳ）、当該番組を録画設定し、開始タイマーＴをスタートさせる（Ｓ５８）。開始タイマーＴの値としては、現在時刻から当該放映開始時刻までの時間に相当する値τが設定される（Ｓ５８）。正確には、現在時刻から当該放映開始時刻までの時間を、本制御装置１０の１ルーチンの実行時間で除算した値τが設定される。
【００５６】
次に、ステップＳ８１で、放映待機中フラグを１にセットする。
【００５７】
一方、「視聴予約」である場合は（Ｓ５７でＮＯ，且つ，Ｓ５９でＹＥＳ）、当該番組を視聴設定し、開始タイマーＴをスタートさせるとともに（Ｓ６０）、放映待機中フラグを１にセットする（Ｓ８１）。開始タイマーＴの値は、上記録画設定（Ｓ５８）の場合と同様である。
【００５８】
現在時刻から１分以内に到来する放映開始時刻を持つレコードの状態項目の値が「録画予約」でもなく「視聴予約」でもない場合は（Ｓ５７でＮＯ，且つ，Ｓ５９でＮＯ）、ステップＳ６１以降へ進む。
【００５９】
まず、送信元に関する可否情報を調べる。
【００６０】
即ち、予約情報ファイルの当該レコードが持つメールＩＤを取得し、該メールＩＤに合致するメールＩＤを持つレコードをメール保管ファイル（図５（ａ））から検索して、その送信元メールアドレスを取得する（Ｓ６１）。次に、当該送信元メールアドレスを、録画条件ファイル（図６（ａ））の条件項目から検索する（Ｓ６２）。
【００６１】
その結果、当該送信元メールアドレスが検索された場合は（Ｓ６３でＹＥＳ）、そのレコードの録画可否項目の値（可否情報）を取得して、メモリに保持する（Ｓ６４）。
【００６２】
次に、番組の特性に関する可否情報を調べる。
【００６３】
即ち、予約情報ファイルの当該レコードが持つ１又は２以上の番組情報をそれぞれ取得して、合致する番組情報を条件項目に持つレコードを録画条件ファイルからそれぞれ検索する（Ｓ６５）。その結果、合致する番組情報を持つ１又は２以上のレコードが検索された場合は（Ｓ６６でＹＥＳ）、当該１又は２以上のレコードの録画可否項目の値（可否情報）を取得して、メモリに保持する（Ｓ６７）。
【００６４】
次に、機器状態に関する可否情報を調べる。
【００６５】
即ち、予約情報ファイルの当該レコードが持つ番組情報の一つである放映時間を取得するとともに（Ｓ６８）、当該携帯電話機のバッテリー（不図示）の電池残量と、録画装置５７の空きの記録容量（録画残量）の検出値を、それぞれ取得する（Ｓ６９）。
【００６６】
また、取得した放映時間に於ける電池残量のレコードと、取得した放映時間に於ける録画残量のレコードを、それぞれ録画条件ファイルから検索する（Ｓ７０）。
【００６７】
その結果、該当するレコードが検索された場合は（Ｓ７１でＹＥＳ）、当該検索されたレコードが持つ可否情報を取得してメモリに保持する（Ｓ７２）。
【００６８】
こうして、送信元に関する可否情報、番組の特性に関する可否情報、機器状態に関する可否情報を調べ終わると、次に、録画設定するか否かを、上記の検査結果に応じて決定する。まず、メモリの所定のエリア（可否情報を保持するべきエリア）に可否情報が保持されているか否かをチェックする（Ｓ７３）。その結果、可否情報が無い場合は（Ｓ７３でＮＯ）、録画条件ファイルから、条件名項目に「可否情報無し（該当条件無し）」というレコードを検索し、その可否情報を取得してメモリに保持する（Ｓ７４）。なお、可否情報が有る場合は（Ｓ７３でＹＥＳ）、ステップＳ７４をジャンプする。
【００６９】
次に、メモリの所定のエリアに保持されている可否情報（送信元に関する可否情報，及び／又は，番組の特性に関する可否情報（群），及び／又は，機器状態に関する可否情報群，又は，可否情報無しの場合の可否情報）を調べて、その中に一つでも「録画否」の可否情報が有るか否かチェックする（Ｓ７５）。
【００７０】
その結果、一つでも「録画否」がある場合は（Ｓ７５でＹＥＳ）、当該の予約情報のレコードを、予約情報ファイルから削除する（Ｓ７７）。
【００７１】
一方、「録画否」の可否情報が一つも無く全てが「録画可」である場合は（Ｓ７５でＮＯ）、当該番組を録画設定し、開始タイマーＴをスタートさせるとともに（Ｓ７６）、放映待機中フラグを１にセットする（Ｓ８１）。開始タイマーＴの値は、前記録画設定（Ｓ５８）や前記視聴設定（Ｓ６０）の場合と同様である。
【００７２】
こうしてスタートされた開始タイマーＴは、本制御装置１０の１ルーチン毎にカウントアップされる（Ｓ８６）。
【００７３】
また、開始タイマーＴが、ステップＳ５８、又は、ステップＳ６０、又は、ステップＳ７６で設定された値τに達すると（Ｓ８２でＹＥＳ）、設定された動作（録画動作／視聴動作）を起動する（Ｓ８３）。
【００７４】
その後、放映待機中フラグを０にリセットする（Ｓ８４）。
【００７５】
上記では、メール送信元に関する可否情報、番組の特性に関する可否情報、及び、機器状態に関する可否情報の何れもが無かった場合に、録画条件ファイルを参照して、その場合の録画の可否を決めているが、これに代えて、メール送信元に関する可否情報が無かった（＝Ｓ６３でＮＯ）場合の可否情報、番組の１又は２以上の特性に関する可否情報が無かった（＝Ｓ６６でＮＯ）場合の可否情報、二つの機器状態に関する可否情報が無かった場合（＝Ｓ７１でＮＯ）の場合の可否情報を、それぞれ録画条件ファイルで持ち、それぞれの場合に参照するようにしてもよい。
【００７６】
また、上記では、一つでも「録画否」の可否情報が有った場合に当該のレコードを予約情報ファイルから削除するようにしているが、例えば、可否情報に正負（録画可＝正，録画否＝負）と重みを付けて、その総和に基づいて決めるようにしてもよい。また、その重みを、ユーザ設定で決め得るようにしてもよい。
【００７７】
また、上記では、全ての可否情報が「録画可」の場合には、直ちに録画設定を行っている（Ｓ７６）が、これに代えて、ユーザの選択を促す表示を行い、ユーザによる録画の不実行を選択し得るようにしてもよい。なお、所定時間内にユーザ入力が無い場合は、録画設定するようにすればよい。
【符号の説明】
【００７８】
１０  制御装置
２１  電話用送受信回路
２２  チャネルコーデック
２３  音声コーデック
３１  テレビ用受信回路
３２  デスクランブラ
３３  デマルチプレクサ
３４  デコーダ
３５  音声処理回路
３６  映像処理回路
５１  マイク
５２  スピーカ
５４  入力装置
５５  表示装置
５７  録画装置
５９  アンテナ
【図１】
0004884499.tif 000002
【図２】
0004884499.tif 000003
【図３】
0004884499.tif 000004
【図４】
0004884499.tif 000005
【図５】
0004884499.tif 000006
【図６】
0004884499.tif 000007